(57)【要約】【課題】発光色が異なる複数の光源部を有する複数の照明器具を調光制御する場合に、複数の照明器具間の光色のばらつきを抑制することが可能な照明システムを提供する。【解決手段】照明システム１は、発光色が異なる複数の光源部、点灯装置２０を有する複数の照明器具１０を備える。照明システム１は、複数の光源部のそれぞれが発する光を受光する受光部４と、光源部のそれぞれの消灯状態を検知する検知部５１と、点灯装置２０のそれぞれに第１制御信号を送信する調光制御部５２とを備える。第１照明器具１０Ａにおいて、検知部５１が少なくとも１つの光源部が消灯したことを検知する。そして、調光制御部５２は、少なくとも第１照明器具１０Ａ以外の第２照明器具１０Ｂ，１０Ｃに対して、消灯した光源部の発光色である消灯発光色の光源部を消灯させることを指示する第２制御信号を送信する。【選択図】図１
2017033675.tif 000002
【特許請求の範囲】
【請求項１】
発光色が異なる複数の光源部、前記複数の光源部のそれぞれを個別に調光する点灯装置を有する複数の照明器具と、前記複数の光源部のそれぞれが発する光を受光する受光部と、前記受光部が受光した光量に基づいて、前記光源部のそれぞれの消灯状態を検知する検知部と、前記点灯装置のそれぞれに所定の調光状態を指示する第１制御信号を送信する調光制御部とを備え、
前記複数の光源部のそれぞれは、１乃至複数の固体発光素子によって構成され、
前記複数の照明器具のうち少なくとも１つの第１照明器具において、前記検知部が前記複数の光源部のうち少なくとも１つの光源部が消灯したことを検知すると、前記調光制御部は、前記複数の照明器具のうち少なくとも前記第１照明器具以外の第２照明器具に対して、前記第１照明器具において消灯した光源部の発光色である消灯発光色の光源部を消灯させることを指示する第２制御信号を送信し、
前記点灯装置は、前記第２制御信号を受け取ると、前記複数の光源部のうち前記消灯発光色の光源部を消灯させる
ことを特徴とする照明システム。
【請求項２】
前記調光制御部は、前記第１制御信号によって、前記複数の光源部のうち、所定の発光色の光源部を減光させるフェードアウト制御を行っている場合、前記検知部が前記複数の光源部のうち少なくとも１つの前記所定の発光色の光源部が消灯したことを検知すると、少なくとも前記第２照明器具に前記第２制御信号を送信する
ことを特徴とする請求項１に記載の照明システム。
【請求項３】
前記複数の光源部は、回路基板に実装され、
前記受光部は、前記複数の光源部が実装されている前記回路基板の同一面に実装される
ことを特徴とする請求項１または２に記載の照明システム。
【請求項４】
前記複数の光源部は、赤色光源部、緑色光源部、青色光源部を含む、
ことを特徴とする請求項１〜３の何れか一項に記載の照明システム。
【発明の詳細な説明】
【技術分野】
【０００１】
本発明は、照明システムに関し、特に、複数の照明器具を制御する照明システムに関する。
【背景技術】
【０００２】
従来例として、特許文献１記載の点灯装置および照明器具を例示する。特許文献１に記載の照明器具は、発光色の異なる光源であるＬＥＤ（発光ダイオード）を複数備えている。照明器具は、点灯装置を備えている。点灯装置は、整流器とマイコンと駆動部と調光器と調光入力部とを、主に備え、それぞれが電気接続されている。調光器は、照明器具を調光する機能を有し、調光入力部を介して調光信号をマイコンに送信する。マイコンは、調光入力部からの調光信号をＡ／Ｄ変換し、その入力信号に対応する目標の色温度と光束と成るようにＰＷＭ（パルス幅変調）信号の周期やデューティ比を決定する。駆動部は、マイコンからのＰＷＭ信号に応じて各発光色のＬＥＤに直流電圧を供給する。
【先行技術文献】
【特許文献】
【０００３】
【特許文献１】特開２０１３−１０１８１８号公報
【発明の概要】
【発明が解決しようとする課題】
【０００４】
特許文献１記載の照明器具は、異なる色のＬＥＤの光出力をそれぞれ調整している。ところで、ＬＥＤに電流が流れている状態において、ＬＥＤには、順方向電圧が発生する。しかしながら、各ＬＥＤに発生する順方向電圧は、同色のＬＥＤにおいても個体差および温度などの理由により異なることがある。ＬＥＤに流れる順方向電流が低下すると、当該ＬＥＤの順方向電圧も低下する。ＬＥＤの順方向電圧が低下し、ＬＥＤが消灯する順方向電圧を「消灯する電圧」とすると、複数の照明器具の特定の色のＬＥＤを一括して減光させる場合、消灯する電圧の高いＬＥＤから先に消灯する。つまり、複数の照明器具の特定の色の複数のＬＥＤを一括して減光すると、点灯しているＬＥＤと消灯しているＬＥＤとの両方が存在し、照明器具間で光色のばらつきが発生してしまうという問題がある。
【０００５】
本発明は、上記事由に鑑みてなされており、発光色が異なる複数の光源部を有する複数の照明器具を調光制御する場合に、複数の照明器具間の光色のばらつきを抑制することが可能な照明システムを提供することを目的とする。
【課題を解決するための手段】
【０００６】
本発明の照明システムは、発光色が異なる複数の光源部、前記複数の光源部のそれぞれを個別に調光する点灯装置を有する複数の照明器具と、前記複数の光源部のそれぞれが発する光を受光する受光部と、前記受光部が受光した光量に基づいて、前記光源部のそれぞれの消灯状態を検知する検知部と、前記点灯装置のそれぞれに所定の調光状態を指示する第１制御信号を送信する調光制御部とを備え、前記複数の光源部のそれぞれは、１乃至複数の固体発光素子によって構成され、前記複数の照明器具のうち少なくとも１つの第１照明器具において、前記検知部が前記複数の光源部のうち少なくとも１つの光源部が消灯したことを検知すると、前記調光制御部は、前記複数の照明器具のうち少なくとも前記第１照明器具以外の第２照明器具に対して、前記第１照明器具において消灯した光源部の発光色である消灯発光色の光源部を消灯させることを指示する第２制御信号を送信し、前記点灯装置は、前記第２制御信号を受け取ると、前記複数の光源部のうち前記消灯発光色の光源部を消灯させることを特徴とする。
【発明の効果】
【０００７】
本発明の照明システムは、発光色が異なる複数の光源部を有する複数の照明器具を調光制御する場合に、複数の照明器具間の光色のばらつきを抑制することが可能であるという効果がある。
【図面の簡単な説明】
【０００８】
【図１】本実施形態に係る照明システムを示すシステム構成図である。
【図２】本実施形態に係る照明システムを示す回路構成図である。
【図３】本実施形態に係る照明システムにおける照明器具を示す斜視図である。
【図４】本実施形態に係る照明システムにおけるＬＥＤモジュールを示す正面図である。
【図５】本実施形態に係る照明システムにおける照明器具を示す断面図である。
【図６】本実施形態に係る照明システムにおける照明器具の使用例を示す配置図である。
【発明を実施するための形態】
【０００９】
以下、本発明に係る照明システムの実施形態について、図面を参照して詳細に説明する。以下に説明する実施形態では、壁面８０（図６参照）を照射する照明器具１０を備える照明システム１を例示するが一例にすぎず、以下に説明する実施形態以外の照明システムにおいても本発明の技術的思想を適用することは可能である。
【００１０】
本実施形態の照明システム１は、図１に示すように、照明装置２と受光部４とを有する照明器具１０と、管理装置５とを備える。照明装置２は、複数の光源部（赤色光源部３Ｒ，緑色光源部３Ｇ，青色光源部３Ｂ）と点灯装置２０とを有する。
【００１１】
赤色光源部３Ｒは、複数の赤色の固体発光素子（赤色発光ダイオード３０Ｒ）の直列回路で構成されている。緑色光源部３Ｇは、複数の緑色の固体発光素子（緑色発光ダイオード３０Ｇ）の直列回路で構成されている。青色光源部３Ｂは、複数の青色の固体発光素子（青色発光ダイオード３０Ｂ）の直列回路で構成されている。なお、固体発光素子は、発光ダイオード以外の固体発光素子、例えば有機エレクトロルミネセンス素子であっても構わない。
【００１２】
点灯装置２０は、電源部２１と、制御部２２と、第１点灯回路２３と、第２点灯回路２４と、第３点灯回路２５とを備える。
【００１３】
電源部２１は、図２に示すように、商用の交流電源１００から供給される交流電力を直流電力に変換するように構成される。例えば、電源部２１は、入力フィルタ２１１、整流回路２１２、力率改善回路２１３などによって構成される。入力フィルタ２１１は、広域遮断フィルタからなり、例えば、交流電源の周波数（例えば、６０Ｈｚ）、を通過させて高調波成分を遮断するように構成される。整流回路２１２は、例えば、ダイオードブリッジで構成され、入力フィルタ２１１から出力される電圧を整流する。力率改善回路２１３は、降圧チョッパ回路で構成される。力率改善回路２１３は、スイッチング素子Ｑ２、インダクタＬ２、検出抵抗Ｒ２、ダイオードＤ２、平滑コンデンサＣ２、スイッチング素子Ｑ２をスイッチングするドライバ回路２１４などを有する。スイッチング素子Ｑ２は、ｎチャネル型のパワーＭＯＳＦＥＴ（Metal-Oxide-Semiconductor Field-Effect Transistor）である。ドライバ回路２１４は、検出抵抗Ｒ２の両端電圧を検出し、スイッチング素子Ｑ２のオンデューティを制御して平滑コンデンサＣ２の両端電圧を一定にするように構成される。
【００１４】
第１点灯回路２３は、赤色光源部３Ｒに第１駆動電流Ｉ１を供給する。第１点灯回路２３は、第１スイッチング素子Ｑ１１、第１ダイオードＤ１１、第１インダクタＬ１１、第１コンデンサＣ１１、第１抵抗Ｒ１１、第１駆動回路２３１などによって構成される降圧チョッパ回路である。第１スイッチング素子Ｑ１１は、ｎチャネル型のパワーＭＯＳＦＥＴである。第１スイッチング素子Ｑ１１と、第１ダイオードＤ１１と、第１抵抗Ｒ１１の直列回路は、電源部２１の出力端子間に電気的に接続される。第１ダイオードＤ１１のアノード・カソード間には、第１インダクタＬ１１と第１コンデンサＣ１１の直列回路が電気的に接続される。第１コンデンサＣ１１の両端間には、赤色光源部３Ｒが電気的に接続される。第１駆動回路２３１は、第１スイッチング素子Ｑ１１のオンデューティを制御することにより、赤色光源部３Ｒに流れる第１駆動電流Ｉ１を調整する。
【００１５】
第２点灯回路２４は、緑色光源部３Ｇに第２駆動電流Ｉ２を供給する。第２点灯回路２４は、第２スイッチング素子Ｑ１２、第２ダイオードＤ１２、第２インダクタＬ１２、第２コンデンサＣ１２、第２抵抗Ｒ１２、第２駆動回路２４１などによって構成される降圧チョッパ回路である。第２スイッチング素子Ｑ１２は、ｎチャネル型のパワーＭＯＳＦＥＴである。第２スイッチング素子Ｑ１２と、第２ダイオードＤ１２と、第２抵抗Ｒ１２の直列回路は、電源部２１の出力端子間に電気的に接続される。第２ダイオードＤ１２のアノード・カソード間には、第２インダクタＬ１２と第２コンデンサＣ１２の直列回路が電気的に接続される。第２コンデンサＣ１２の両端間には、緑色光源部３Ｇが電気的に接続される。第２駆動回路２４１は、第２スイッチング素子Ｑ１２のオンデューティを制御することにより、緑色光源部３Ｇに流れる第２駆動電流Ｉ２を調整する。
【００１６】
第３点灯回路２５は、青色光源部３Ｂに第３駆動電流Ｉ３を供給する。第３点灯回路２５は、第３スイッチング素子Ｑ１３、第３ダイオードＤ１３、第３インダクタＬ１３、第３コンデンサＣ１３、第３抵抗Ｒ１３、第３駆動回路２５１などによって構成される降圧チョッパ回路である。第３スイッチング素子Ｑ１３は、ｎチャネル型のパワーＭＯＳＦＥＴである。第３スイッチング素子Ｑ１３と、第３ダイオードＤ１３と、第３抵抗Ｒ１３の直列回路は、電源部２１の出力端子間に電気的に接続される。第３ダイオードＤ１３のアノード・カソード間には、第３インダクタＬ１３と第３コンデンサＣ１３の直列回路が電気的に接続される。第３コンデンサＣ１３の両端間には、青色光源部３Ｂが電気的に接続される。第３駆動回路２５１は、第３スイッチング素子Ｑ１３のオンデューティを制御することにより、青色光源部３Ｂに流れる第３駆動電流Ｉ３を調整する。
【００１７】
制御部２２は、ＣＰＵ（中央演算処理装置）やメモリなどを有するマイクロコントローラで構成される。制御部２２は、管理装置５から指示される調光レベルに基づいて、第１点灯回路２３、第２点灯回路２４、および第３点灯回路２５のそれぞれに流れる第１駆動電流Ｉ１、第２駆動電流Ｉ２、および第３駆動電流Ｉ３を調整する。
【００１８】
照明器具１０は、図３に示すように、光源ユニット６と、電源ユニット７とを備える。なお、以下の説明では、図３において、上下、左右、前後の各方向を規定する。
【００１９】
光源ユニット６は、４つのＬＥＤモジュール６０、第１筐体６１、反射板ブロック６２、放熱板ブロック６３などを備える。
【００２０】
ＬＥＤモジュール６０のそれぞれは、図４に示すように、長方形状の回路基板６０１を備える。回路基板６０１の表面には、複数の赤色発光ダイオード３０Ｒと、複数の緑色発光ダイオード３０Ｇと、および複数の青色発光ダイオード３０Ｂとが実装される。なお、照明器具１０では、複数の赤色発光ダイオード３０Ｒ、複数の緑色発光ダイオード３０Ｇ、複数の青色発光ダイオード３０Ｂに加えて白色光を放射する複数の白色発光ダイオード３０Ｗが回路基板６０１の同一面上（表面上）に実装されることが好ましい。複数の白色発光ダイオード３０Ｗは、第４点灯回路から供給される直流電力で発光することが好ましい。第４点灯回路は、第１点灯回路２３、第２点灯回路２４、第３点灯回路２５と共通の回路構成を有することが好ましい。
【００２１】
また、回路基板６０１の表面には、受光部４であるカラーセンサ４０が実装される。カラーセンサ４０は、回路基板６０１の長手方向の中心付近に実装される。
【００２２】
さらに、回路基板６０１の表面における長手方向の両端には、それぞれレセプタクルコネクタ６０２，６０３が実装される。レセプタクルコネクタ６０２，６０３は、回路基板６０１の表面または裏面に形成される導電体（銅箔）を介して、発光ダイオード３０Ｒ，３０Ｇ，３０Ｂのそれぞれと電気的に接続される。また、１つの回路基板６０１のレセプタクルコネクタ６０２は他の回路基板６０１のレセプタクルコネクタ６０３と電気的に接続されることで、４つの回路基板６０１は直列接続される。４つの回路基板によって構成される直列回路は、第１点灯回路２３、第２点灯回路２４、第３点灯回路２５、および第４点灯装置の出力端と、それぞれケーブル等を介して電気的に接続される。さらに、カラーセンサ４０は、レセプタクルコネクタ６０２，６０３を介して、管理装置５に電気的に接続される。
【００２３】
第１筐体６１は、図３に示すように、金属板によって、直方体状に形成され、前面に矩形の窓孔６２０を備える。第１筐体６１の内部には、回路基板６０１の表面を窓孔６２０に対向させるようにして、４つのＬＥＤモジュール６０が縦横２列に並べられて収容される。
【００２４】
反射板ブロック６２は、遮光板６２１と、複数の反射板６２２とを備える。遮光板６２１および複数の反射板６２２は、４つのＬＥＤモジュール６０と窓孔６２０との間に配置され、ＬＥＤモジュール６０のそれぞれから放射される光の配光を制御するように構成される。
【００２５】
放熱板ブロック６３は、複数の放熱板６３１を備える。放熱板６３１のそれぞれは、互いに板厚方向に沿って、第１筐体６１の後面に並べて配置される。なお、放熱板６３１は、第１筐体６１内において、ＬＥＤモジュール６０のそれぞれと熱的に結合される。
【００２６】
電源ユニット７は、第１点灯回路２３、第２点灯回路２４、第３点灯回路２５、第４点灯回路、電源部２１、および制御部２２などを有する回路ブロックと、回路ブロックを収容する第２筐体７０と、一対のアーム７１とを備える。
【００２７】
回路ブロックは、第１点灯回路２３、第２点灯回路２４、第３点灯回路２５、第４点灯回路、電源部２１、および制御部２２を構成する回路部品などが１乃至複数のプリント配線板に実装されて構成される。
【００２８】
第２筐体７０は、金属板によって、扁平な直方体状に形成され、回路ブロックを内部に収容するように形成される。一対のアーム７１は、板状に形成され、第２筐体７０の左右両端から上向きに突出するように設けられる。一対のアーム７１は、先端（上端）に向かって、前後方向の幅寸法を徐々に狭くするように形成される。一対のアームの７１のそれぞれの先端部分には、ノブボルト７２のボルトが挿通される挿通孔がそれぞれ設けられている。一対のアーム７１は、先端部分の挿通孔に挿通されるボルトを、第１筐体６１の左右両側面に設けられる雌ねじにねじ込むことにより、光源ユニット６が左右方向を軸に回転可能に支持するように構成される。
【００２９】
本実施形態の照明器具１０は、図５に示すように、壁面８０の設置面である床面８１に、壁面８０から前後方向に離れて設置される。照明器具１０は、４つのＬＥＤモジュール６０の表面が壁面８０側に向くように、ノブボルト７２によって角度が調整される。
【００３０】
本実施形態の照明システム１では、複数の照明器具１０が壁面８０を照明するように構成される。この場合、管理装置５は、複数の照明器具１０を一括に制御するように構成される。管理装置５は、図１に示すように、検知部５１と調光制御部５２とを備える。調光制御部５２は、ユーザの操作またはプログラムによって指示される赤色光源部３Ｒ、緑色光源部３Ｇ、および青色光源部３Ｂのそれぞれの調光レベルに応じた第１制御信号を制御部２２のそれぞれに送信する。制御部２２のそれぞれは、第１制御信号を受け取ると、赤色光源部３Ｒ、緑色光源部３Ｇ、および青色光源部３Ｂのそれぞれが指示された調光レベルに対応して点灯するように第１点灯回路２３、第２点灯回路２４、第３点灯回路２５のそれぞれを制御する。
【００３１】
ところで、発光ダイオード（固体発光素子）に電流が流れると、発光ダイオードには、順方向電圧（電圧降下）が発生する。発光ダイオードに流れる順方向電流が低下すると、当該発光ダイオードの順方向電圧も低下する。当該発光ダイオードの順方向電圧が低下し、当該発光ダイオードが消灯する順方向電圧を以後「消灯する電圧」とする。発光ダイオードが消灯する電圧は、同色の発光ダイオードにおいて個体差および温度によって異なる場合がある。
【００３２】
同色の発光ダイオードが消灯する電圧のそれぞれが異なってしまうと、管理装置５が複数の照明器具１０の同色の光源部を一括して減光（フェードアウト）制御しようとすると、同色であっても消灯する電圧の高い発光ダイオードから消灯してしまう。
【００３３】
したがって、複数の照明器具１０のうち少なくとも１つの照明器具１０（第１照明器具）の特定の色の光源部が他の照明器具１０（第２照明器具）の同色（消灯発光色）の光源部よりも早く消灯してしまう可能性がある。例えば、管理装置５が赤色光源部３Ｒをフェードアウト制御する場合、第１照明器具１０Ａの赤色光源部３Ｒが第２照明器具１０Ｂ，１０Ｃの赤色光源部３Ｒよりも先に消灯してしまう可能性がある。
【００３４】
また、管理装置５が緑色光源部３Ｇおよび青色光源部３Ｂがフェードアウト制御する場合も上述の赤色光源部３Ｒの場合と同様に、第１照明器具１０Ａの光源部３Ｇ，３Ｂが第２照明器具１０Ｂ，１０Ｃの光源部３Ｇ，３Ｂよりも先に消灯してしまう可能性がある。
【００３５】
このような場合、壁面８０に対して、第１照明器具１０Ａから照射される光色と第２照明器具１０Ｂ，１０Ｃから照射される光色とが異なってしまい、見る側に違和感を生じさせてしまう可能性がある。
【００３６】
本実施形態の照明システム１は、複数の照明器具１０（１０Ａ，１０Ｂ，１０Ｃ）のうち第１照明器具１０Ａの少なくとも一つの光源部が消灯した場合、第２照明器具１０Ｂ，１０Ｃの同色（消灯発光色）の光源部を消灯させるように構成される。
【００３７】
なお、１つの照明器具１０において、４つのカラーセンサ４０は、４つの回路基板６０１のそれぞれに実装されている。カラーセンサ４０のそれぞれは、一対一に対応するＬＥＤモジュール６０の赤色発光ダイオード３０Ｒ、緑色発光ダイオード３０Ｇ、および青色発光ダイオード３０Ｂのそれぞれが発光する光を受光する。そして、カラーセンサ４０のそれぞれは、発光色毎の光量に応じたデータ信号（受光信号）を生成する。検知部５１は、カラーセンサ４０（受光部４）のそれぞれと電気的に接続している。検知部５１は、少なくとも１つのカラーセンサ４０から光源部３Ｒ，３Ｇ，３Ｂのそれぞれの出力（光量）に応じた受光信号を受け取ることで、光源部３Ｒ，３Ｇ，３Ｂのそれぞれの光量に基づいて、光源部３Ｒ，３Ｇ，３Ｂのそれぞれの消灯状態を検知する。そして、検知部５１は、少なくとも１つの照明器具１０の光源部３Ｒ，３Ｇ，３Ｂの何れかが消灯していると判断する。
【００３８】
管理装置５が複数の照明器具１０（１０Ａ，１０Ｂ，１０Ｃ）のそれぞれの赤色光源部３Ｒを一括してフェードアウト制御し、第１照明器具１０Ａの赤色光源部３Ｒが先に消灯した場合について説明する。なお、第１照明器具１０Ａの少なくとも１つの赤色発光ダイオード３０Ｒが消灯する電圧のばらつきによって消灯すると、同回路基板６０１上に実装されている赤色発光ダイオード３０Ｒは直列接続されているので、他の赤色発光ダイオード３０Ｒも消灯するとする。さらに、１つの回路基板６０１に実装されている赤色発光ダイオード３０Ｒが消灯すると、４つの回路基板６０１は直列接続されているので、第１照明器具１０Ａの別の回路基板６０１に実装されている赤色発光ダイオード３０Ｒのそれぞれも消灯するとする。つまり、第１照明器具１０Ａの少なくとも１つの赤色発光ダイオード３０Ｒが消灯する電圧のばらつきによって消灯すると、第１照明器具１０Ａの赤色光源部３Ｒが消灯状態になる。
【００３９】
管理装置５は、赤色光源部３Ｒの調光レベルを徐々に下げることでフェードアウト制御する第１制御信号を複数の照明器具１０のそれぞれの制御部２２に送信する。制御部２２のそれぞれは、第１制御信号を受け取ると、赤色光源部３Ｒの光量が低下するように第１点灯回路２３を制御する。なお、赤色光源部３Ｒに流れる第１駆動電流Ｉ１が減少すると、赤色光源部３Ｒに発生する順方向電圧も減少する。
【００４０】
そして、第１照明器具１０Ａの赤色光源部３Ｒが消灯する電圧のばらつきによって、調光レベルの下限近傍で先に消灯すると、第１照明器具１０Ａに設けられた受光部４（カラーセンサ４０）が赤色光源部３Ｒの消灯状態に応じた受光信号を検知部５１に送信する。検知部５１が第１照明器具１０Ａに設けられた受光部４から当該受光信号を受け取ることで、第１照明器具１０Ａの赤色光源部３Ｒが消灯状態であることを検知する。管理装置５の調光制御部５２は、第２照明器具１０Ｂ，１０Ｃの赤色光源部３Ｒを消灯させることを指示する第２制御信号を第２照明器具１０Ｂ，１０Ｃのそれぞれの制御部２２に送信する。第２照明器具１０Ｂ，１０Ｃのそれぞれの制御部２２は、赤色光源部３Ｒが点灯状態であっても、赤色光源部３Ｒを消灯するように第１点灯回路２３を制御する。
【００４１】
本実施形態の照明システム１は、第１照明器具１０Ａの赤色光源部３Ｒが消灯する電圧のばらつきによって、第２照明器具１０Ｂ，１０Ｃよりも先に消灯すると、第２照明器具１０Ｂ，１０Ｃの赤色光源部３Ｒも消灯させる。したがって、照明システム１は、複数の照明器具１０間の光色のばらつきを抑制することが可能である。
【００４２】
なお、第１照明器具１０Ａの赤色光源部３Ｒが消灯する電圧のばらつきにより消灯した場合の上述の制御は一例にすぎない。本実施形態の照明システム１は、緑色光源部３Ｇおよび青色光源部３Ｂについても同様の制御を行うように構成される。
【００４３】
また、複数の照明器具１０の赤色光源部３Ｒが消灯する電圧のばらつきによって消灯したあと、複数の照明器具１０（１０Ａ、１０Ｂ，１０Ｃ）のうち少なくとも１つの照明器具１０の緑色光源部３Ｇまたは青色光源部３Ｂが消灯する電圧のばらつきによって消灯するとする。この場合も、赤色光源部３Ｒの場合と同様に、本実施形態の照明システム１は、消灯した緑色光源部３Ｇおよび青色光源部３Ｂを有する照明器具１０以外の照明器具１０に対して、消灯発光色の光源部を消灯させるように構成される。
【００４４】
なお、受光部４は、単色を測光できるカラーセンサによって構成されてもよい。この場合、受光部４は、赤色、緑色、青色のそれぞれを各別に測光する３つのカラーセンサによって構成される。
【００４５】
カラーセンサ４０は、各回路基板６０１に実装される必要がなく、４つの回路基板６０１（ＬＥＤモジュール）のうちの少なくとも一つに実装されていてもよい。カラーセンサ４０の配置場所は、本実施形態の配置場所に限定されず、照明器具１０の外部からの光がとどかず、反射板６２２に隠れる位置に配置されることが好ましい。
【００４６】
赤色光源部３Ｒは、赤色発光ダイオード３０Ｒの直列回路で構成されなくてもよい。緑色光源部３Ｇは、緑色発光ダイオード３０Ｇの直列回路で構成されなくてもよい。青色光源部３Ｂは、青色発光ダイオード３０Ｂの直列回路で構成されなくてもよい。ただし、これらの場合、１つの照明器具１０において、特定の色の一つの発光ダイオードが消灯する電圧のばらつきによって消灯したからといって、他の消灯発光色の発光ダイオードが消灯するとは限らない。したがって、カラーセンサ４０は、各ＬＥＤモジュールと一対一に対応するように、各回路基板６０１に実装されることが好ましい。
【００４７】
また、１つの照明器具１０において、検知部５１が複数のカラーセンサ４０のうちの１つから特定の色の１乃至複数の発光ダイオードが消灯したことを検知するとする。この場合、調光制御部５２は、当該照明器具１０における点灯状態の同色（消灯発光色）の発光ダイオードを消灯させるために、第２制御信号を他の照明器具１０に送信するだけでなく、当該照明器具１０に送信してもよい。
【００４８】
本実施形態の照明システム１は、発光色が異なる複数の光源部（例えば、赤色光源部３Ｒ、緑色光源部３Ｇ、青色光源部３Ｂ）、複数の光源部のそれぞれを個別に調光する点灯装置２０を有する複数の照明器具１０を備える。照明システム１は、複数の光源部のそれぞれが発する光を受光する受光部４と、受光部４が受光した光量に基づいて、光源部のそれぞれの消灯状態を検知する検知部５１とを備える。さらに、照明システム１は、点灯装置２０のそれぞれに所定の調光状態を指示する第１制御信号を送信する調光制御部５２を備える。複数の光源部のそれぞれは、１乃至複数の固体発光素子（例えば、赤色発光ダイオード３０Ｒ、緑色発光ダイオード３０Ｇ、青色発光ダイオード３０Ｂ）によって構成される。複数の照明器具１０のうち少なくとも１つの第１照明器具において、検知部５１が複数の光源部のうち少なくとも１つの光源部が消灯したことを検知する。そして、調光制御部５２は、複数の照明器具１０のうち少なくとも第１照明器具以外の第２照明器具に対して、第１照明器具において消灯した光源部の発光色である消灯発光色の光源部を消灯させることを指示する第２制御信号を送信する。点灯装置２０は、第２制御信号を受け取ると、複数の光源部のうち消灯発光色の光源部を消灯させる。
【００４９】
本実施形態の照明システム１は上述のように構成されるので、第１照明器具の少なくとも１つの光源部が消灯すると、第２照明器具の同色の光源部も消灯するので、複数の照明器具１０間の光色のばらつきを抑制することが可能である。
【００５０】
本実施形態の照明システム１において、調光制御部５２は、第１制御信号によって、複数の光源部のうち、所定の発光色の光源部を減光させるフェードアウト制御を行っている。この場合、調光制御部５２は、検知部５１が複数の光源部のうち少なくとも１つの所定の発光色の光源部が消灯したことを検知すると、少なくとも第２照明器具に第２制御信号を送信することが好ましい。
【００５１】
本実施形態の照明システム１が上述のように構成されると、同色の発光ダイオードが消灯する電圧のばらつきにより、フェードアウト制御において、第１照明器具の特定の光源が調光レベルの下限近傍で消灯しても、第２照明器具における同色の光源部が消灯する。したがって、照明システム１は、複数の照明器具１０間の光色のばらつきを抑制することが可能である。
【００５２】
本実施形態の照明システム１において、複数の光源部は、回路基板６０１に実装されることが好ましい。受光部４は、複数の光源部が実装されている回路基板６０１の同一面に実装されることが好ましい。
【００５３】
本実施形態の照明システム１が上述のように構成されると、検知部５１が複数の光源部のうち少なくとも１つの光源部が消灯したことを容易に検知できる。
【００５４】
本実施形態の照明システム１において、複数の光源部は、赤色光源部３Ｒ、緑色光源部３Ｇ、青色光源部３Ｂを含むことが好ましい。
【００５５】
本実施形態の照明システム１が上述のように構成されると、受光部４によって、特定の光源部が消灯していることを検知部５１が検知することができる。したがって、照明システム１では、複数の照明器具１０間において、赤色光源部３Ｒ、緑色光源部３Ｇ、および青色光源部３Ｂからなる混色のばらつきを抑制することが可能である。
【符号の説明】
【００５６】
１  照明システム
１０（１０Ａ，１０Ｂ，１０Ｃ）  照明器具
２０  点灯装置
３Ｒ  赤色光源部
３０Ｒ  赤色発光ダイオード
３Ｇ  緑色光源部
３０Ｇ  緑色発光ダイオード
３Ｂ  青色光源部
３０Ｂ  青色発光ダイオード
４  受光部
５１  検知部
５２  調光制御部
６０  ＬＥＤモジュール
６０１  回路基板
【図１】
2017033675.tif 000003
【図２】
2017033675.tif 000004
【図３】
2017033675.tif 000005
【図４】
2017033675.tif 000006
【図５】
2017033675.tif 000007
【図６】
2017033675.tif 000008